(57)【要約】【課題】  一対の刃体は切断移動方向と直交する方向に間隔をおいて一対の刃部を有して、果実のヘタと茎とを同時に切断できるようにする。【解決手段】  一対の刃体２を切断移動可能にしたハサミであって、一対の刃体２Ａ，２Ｂはそれぞれ、果実ＫのヘタＫｂを切断する刃部３ＸとヘタＫｂに繋がる茎Ｋｃを切断する刃部３Ｙとが形成されており、各刃体２Ａ，２Ｂのヘタ切断刃部３Ｘと茎切断刃部３Ｙとは切断移動方向Ｓと直交する方向に間隔をおいて配置されている。【選択図】図１
2018134031.tif 000002
【特許請求の範囲】
【請求項１】
一対の刃体（２）を切断移動可能にしたハサミであって、
一対の刃体（２Ａ，２Ｂ）はそれぞれ、果実（Ｋ）のヘタ（Ｋｂ）を切断する刃部（３Ｘ）とヘタ（Ｋｂ）に繋がる茎（Ｋｃ）を切断する刃部（３Ｙ）とが形成されており、
各刃体（２Ａ，２Ｂ）のヘタ切断刃部（３Ｘ）と茎切断刃部（３Ｙ）とは切断移動方向（Ｓ）と直交する方向に間隔をおいて配置されていることを特徴とするハサミ。
【請求項２】
前記各刃体（２Ａ，２Ｂ）はヘタ切断刃部（３Ｘ）と茎切断刃部（３Ｙ）との背側を両者間を塞ぐ背部（４）で連結していて断面略コ字形状に形成されていることを特徴とする請求項１に記載のハサミ。
【請求項３】
前記一方の刃体（２Ａ）の両刃部（３ＸＡ，３ＹＡ）は他方の刃体（２Ｂ）の両刃部（３ＸＢ，３ＹＢ）の外側に配置されており、
前記一方の刃体（２Ａ）の外側刃部（３ＸＡ，３ＹＡ）は切刃面（６ａ）が内向きに形成されていることを特徴とする請求項１又は２に記載のハサミ。
【請求項４】
一方の刃体（２Ａ）の刃部（３ＸＡ，３ＹＡ）と他方の刃体（２Ｂ）の刃部（３ＸＢ，３ＹＢ）とは、それぞれの刃先（６ｃ）が略対称形状であって、波形状、円弧形状又は直線形状に形成されていることを特徴とする請求項１〜３のいずれか１項に記載のハサミ。
【発明の詳細な説明】
【技術分野】
【０００１】
本発明は、苺の刈り取りができるハサミに関する。
【背景技術】
【０００２】
苺の切断用ハサミとして、小型のハサミ本体の下部側へ樹脂性造形軽量材製の指の誤切断回避の安全性を考慮したストッパー板を設けるとともに、指の誤切断回避の安全性を考慮した、苺の平均同等直径サイズ約２ｃｍの開口を有した切断補助プレートを小型のハサミ本体の上部側へ、取り外し可能なで固定することによって、ハサミを稼動させても安全性を確保した状態を維持しながら、苺のヘタのみを切断除去する構造を有した苺のヘタを切断除去できるハサミ（特許文献１）がある。
【先行技術文献】
【特許文献】
【０００３】
【特許文献１】特開２０１０−３２２号公報
【発明の概要】
【発明が解決しようとする課題】
【０００４】
前記従来技術は、切断補助プレートの直径約２ｃｍの開口に苺のヘタを挿入して切断することはできるが、植生されている状態の苺を茎から刈り取るのには使用困難である。
即ち、植生されている株から苺を収穫する場合、茎から刈り取る方法と茎の先端の果実（花托）のみを刈り取る方法とがあり、果実のみを刈り取る場合も、株側にヘタ（ガク）が残っていると、株に悪影響が生じるので、茎をも切断しておく必要がある。
【０００５】
前記従来技術では、茎から刈り取った苺のヘタ以下を切断除去するのに使用できるが、いわゆる「いちご刈り」等で、植生されている状態の苺を刈り取ってすぐさま食べるときに、ヘタと茎とを同時に切断するのに使用することは困難である。
本発明は、このような従来技術の問題点を解決できるようにしたハサミを提供することを目的とする。
【０００６】
本発明は、果実のヘタと茎とを同時に切断できるハサミを提供することを目的とする。
【課題を解決するための手段】
【０００７】
本発明における課題解決のための具体的手段は、次の通りである。
第１に、一対の刃体２を切断移動可能にしたハサミであって、一対の刃体２Ａ，２Ｂはそれぞれ、果実ＫのヘタＫｂを切断する刃部３ＸとヘタＫｂに繋がる茎Ｋｃを切断する刃部３Ｙとが形成されており、各刃体２Ａ，２Ｂのヘタ切断刃部３Ｘと茎切断刃部３Ｙとは切断移動方向Ｓと直交する方向に間隔をおいて配置されていることを特徴とする。
【０００８】
第２に、前記各刃体２Ａ，２Ｂはヘタ切断刃部３Ｘと茎切断刃部３Ｙとの背側を両者間を塞ぐ背部４で連結していて断面略コ字形状に形成されていることを特徴とする。
第３に、前記一方の刃体２Ａの両刃部３ＸＡ，３ＹＡは他方の刃体２Ｂの両刃部３ＸＢ，３ＹＢの外側に配置されており、前記一方の刃体２Ａの外側刃部３ＸＡ，３ＹＡは切刃面６ａが内向きに形成されていることを特徴とする。
【０００９】
第４に、前記一方の刃体２Ａの刃部３ＸＡ，３ＹＡと他方の刃体２Ｂの刃部３ＸＢ，３ＹＢとは、それぞれの刃先６ｃが略対称形状であって、波形状、円弧形状又は直線形状に形成されていることを特徴とする。
【発明の効果】
【００１０】
本発明によれば、１本のハサミで果実のヘタと茎とを同時に切断できる。
即ち、請求項１に係る発明は、一対の刃体２Ａ，２Ｂはそれぞれ、果実ＫのヘタＫｂを切断する刃部３ＸとヘタＫｂに繋がる茎Ｋｃを切断する刃部３Ｙとが形成され、かつ各刃体２Ａ，２Ｂのヘタ切断刃部３Ｘと茎切断刃部３Ｙとは切断移動方向Ｓと直交する方向に間隔をおいて配置されているので、果実ＫのヘタＫｂと茎Ｋｃとを同時に切断できる。
【００１１】
請求項２に係る発明は、各刃体２Ａ，２Ｂはヘタ切断刃部３Ｘと茎切断刃部３Ｙとの背側を両者間を塞ぐ背部４で連結していて断面略コ字形状に形成されているので、果実ＫのヘタＫｂと茎Ｋｃとの間のものを切断時に落とすことなく保留しておいて、切断場所から
離れた他の場所へ排除できる。
請求項３に係る発明は、一方の刃体２Ａの両刃部３ＸＡ，３ＹＡは他方の刃体２Ｂの両刃部３ＸＢ，３ＹＢの外側に配置され、かつ一方の刃体２Ａの外側刃部３ＸＡ，３ＹＡは切刃面６ａが内向きに形成されているので、果実ＫのヘタＫｂに近い最適な位置で食いつきを確実にして切断できる。
【００１２】
請求項４に係る発明は、一方の刃体２Ａの刃部３ＸＡ，３ＹＡと他方の刃体２Ｂの刃部３ＸＢ，３ＹＢとは、それぞれの刃先６ｃが略対称形状であって、波形状、円弧形状又は直線形状に形成されているので、果実ＫのヘタＫｂへの鋭い食い込み及び茎のズレ防止をしたり、切断を円滑にしたりすることが可能になる。
【図面の簡単な説明】
【００１３】
【図１】本発明の実施形態を示す使用状態斜視図である。
【図２】同平面図である。
【図３】図２のＸ−Ｘ線断面図である。
【図４】同正面図である。
【図５】変形例を示す斜視図である。
【発明を実施するための形態】
【００１４】
以下、本発明の実施の形態を図面に基づいて説明する。
図１〜４において、ハサミ１は苺等の果実の刈り取り用であって、一対の刃体２をピンで形成した枢支部５を介して切断移動可能に連結したトング形状になっており、両刃体２にわたって枢支部５の近傍に開きバネ７が配置され、外周に閉じリング８が嵌合されている。
【００１５】
図１，３に示すように、各刃体２は金属又は合成樹脂等で形成されており、柄を兼ねる長い背部４の先端側に一対の刃部３を有しており、刃部３を形成している部位は断面略コ字形状であって、中央側の背部４の両側から刃部３が切断移動方向Ｓに突出していて、一対の刃部３の背側を両者間を塞ぐ背部４で連結した形状になっている。両刃体２の最先端は自由端になっており、開放されている。
【００１６】
各刃体２の一対の刃部３は切断移動方向Ｓと直交する方向に間隔をおいて位置しており、両刃体２の幅は広狭あり、一方の刃体２Ａの両刃部３Ａは他方の刃体２Ｂの両刃部３Ｂの外側に配置されている。
一対の刃体２Ａ，２Ｂは、片側の一対の噛合する刃部３Ａと刃部３Ｂとで果実（苺）ＫのヘタＫｂを切断する刃部３Ｘを形成し、他側の一対の噛合する刃部３Ａと刃部３ＢとでヘタＫｂに繋がる茎Ｋｃを切断する刃部３Ｙを形成している。刃体２の左右どちら側をヘタ切断刃部３Ｘとしてもよく、他方は茎切断刃部３Ｙとなる。
【００１７】
前記一方の刃体２Ａの外側刃部３Ａは切刃面６ａを内向きに形成しており、前記他方の刃体２Ｂの内側刃部３Ｂも切刃面６ｂを内向きに形成されている。図３仮想線で示すように、外側刃部３Ａの内面（切刃面６ａから外れた内面）は、内側刃部３Ｂの刃先Ｋ６ｃの外面と略摺接するとき、切断作業の完了が可能になる。
外側刃部３Ａの切刃面６ａを内向きに形成することは、外側刃部３Ａの肉厚方向で刃先Ｋ６ｃが最外端に位置することになり、果実Ｋに宛がったときにヘタＫｂとの境界により正確に食い込ますことができ、かつヘタＫｂを果実Ｋから引き離すこともできる。
【００１８】
また、両方の刃体２の刃部３の刃先Ｋ６ｃは略対称な円弧形状又は直線形状であってもよいが、図１、４に示すように、刃体２Ａの外側刃部３Ａと刃体２Ｂの内側刃部３Ｂとは、それぞれの刃先Ｋ６ｃが略対称の波形状に形成されており、外側刃部３Ａの刃先Ｋ６ｃの山が内側刃部３Ｂの刃先Ｋ６ｃの山とが谷に先行して果実Ｋを切断していく。
前記ハサミ１は、栽培農家で行ういわゆる「いちご刈り」等で、植生している株から出ている苺Ｋを刈り取るときに使用できる。
【００１９】
ハサミ１は、両方の刃体２の一方側のヘタ切断刃部３Ｘを苺Ｋの花托ＫａとヘタＫｂとの境界に宛がい、他方側の茎切断刃部３Ｙを苺Ｋの茎Ｋｃに対向させ、両方の刃体２を切断移動方向Ｓに対向移動させると、ヘタ切断刃部３Ｘ側では外側刃部３ＸＡ及び内側刃部３ＸＢの刃先Ｋ６ｃの山が花托Ｋａに食い込んでいき、次に茎切断刃部３Ｙ側では外側刃
部３ＹＡ及び内側刃部３ＹＢの刃先６ｃの谷に茎Ｋｃが挟まれかつ食い込んでいき、外側刃部３Ａ及び内側刃部３Ｂの切刃面６ａ、６ｂが交差するとき、苺Ｋは花托ヘタ境界と茎Ｋｃとの２箇所で同時に切断される。
【００２０】
切断された苺Ｋの花托Ｋａはすぐに食べられるヘタＫｂの無い状態となり、花托ヘタ境界と茎Ｋｃとの間の部分は、刃体２に背部４があることにより、両刃体２の内部に残すことができ、切断時に落下することなく、植生苺Ｋから離れた場所でハサミ１の先端から放出して排除することができる。
図５はハサミ１の変形例を示しており、前記実施形態と異なる点は、一対の刃体２が弾性変形可能な枢支部５を介して一体成形されたＵ型握りハサミ形状であり、両方の刃体２の刃部３の刃先６ｃが略対称な円弧形状に形成されている。
【００２１】
また、変形例のハサミ１は、両刃体２の最先端は対向内方向に屈曲されていて、嘴形状の切断部１０Ａ，１０Ｂが形成されている。この嘴形状切断部１０Ａ，１０Ｂは、苺Ｋを収穫しても花托ＫａからヘタＫｂを取り損ねている場合に、そのヘタＫｂを鉛直方向から抉るように削除することができる。
なお、本発明は前記実施形態に限定されるものではなく、部材の形状、構成及び組み合わせ等を変更したりすることもできる。
【００２２】
例えば、ハサミ１は一対の刃体２をピンでＸ型に連結したＸ型握りハサミ形状であってもよい。
また、各刃体２の背部４は完全閉鎖でなくとも開口を形成しておいてもよい。
【符号の説明】
【００２３】
１        ハサミ
２（２Ａ，２Ｂ）    刃体
３（３Ａ，３Ｂ）    刃部
３Ｘ      ヘタ切断刃部
３Ｙ      茎切断刃部
３ＸＡ，３ＹＡ    刃部
３ＸＢ，３ＹＢ    刃部
４      背部
５      枢支部
６ａ、６ｂ    切刃面
６ｃ    刃先
７      バネ
８      リング
Ｋ      果実
Ｋａ    花托
Ｋｂ    ヘタ
Ｋｃ    茎
Ｓ      切断移動方向
【図１】
2018134031.tif 000003
【図２】
2018134031.tif 000004
【図３】
2018134031.tif 000005
【図４】
2018134031.tif 000006
【図５】
2018134031.tif 000007